(57)【特許請求の範囲】
【請求項１】
トイレ装置を遠隔操作するためのリモコン装置であって、
押し操作に応じて移動するボタン部と、
前記ボタン部が検出位置まで移動したときに、前記押し操作を検出する検出部と、
前記ボタン部が前記検出位置よりも先に移動したときに、その移動に応じて電力を発生する発電部と、
前記発電部が発生させた電力を蓄電する蓄電部と、
前記蓄電部の電力が起動電力となると起動して前記起動電力未満となるまで起動し続ける制御部であって、前記蓄電部が蓄電している電力に対応する値が前記起動電力より高い電力に対応する閾値以上であり且つ前記検出部が前記押し操作を検出した場合には、前記検出部の検出結果に応じた前記トイレ装置の制御信号の生成処理を実行し、その他の場合には、前記生成処理を実行しない制御部と、
前記生成処理により生成された前記制御信号を送信する送信部と、
を備えるリモコン装置。
【請求項２】
前記制御部は、停止するまで前記検出結果をカウントして記憶し、記憶したカウントの回数が予め定められた回数を満たす場合に、前記制御信号と異なる特殊モード信号を前記送信部に送信させる、
請求項１に記載のリモコン装置。
【請求項３】
前記制御部に接続され、前記蓄電部が蓄電している電力に対応する値を監視し、前記値が前記閾値以上であるとき前記制御部にその旨を通知する監視部、
をさらに備える請求項２に記載のリモコン装置。
【請求項４】
前記制御部は、前記蓄電部の電力により動作する状態を、第１モードと、前記第１モードよりも前記制御部の消費電力が少ない第２モードの何れか１つに設定可能とされ、前記第１モードで前記生成処理を実行した後は前記第２モードに移行し、前記第２モードに移行した後は前記監視部から前記通知を受け取ると前記第１モードに戻るように構成されている、
請求項３に記載のリモコン装置。
【請求項５】
前記制御部は、起動した際に前記第１モードに移行し、前記監視部から前記通知を受けているか否かを判定して、肯定判定した場合には前記第２モードに移行し、否定判定した場合には前記第２モードに移行しない、
請求項４に記載のリモコン装置。
【請求項６】
前記送信部による送信の後に、前記蓄電部の電力に対応する値が前記閾値以上である場合、前記蓄電部の電力を放電する放電部、
をさらに備える請求項１乃至請求項５の何れか１項に記載のリモコン装置。
【請求項７】
請求項１乃至請求項６の何れか１項に記載のリモコン装置と、
前記リモコン装置により遠隔操作される吐水手段が設けられた前記トイレ装置と、
を備えるトイレシステム。
【発明の詳細な説明】
【技術分野】
【０００１】
本発明は、リモコン装置及びトイレシステムに関する。
【背景技術】
【０００２】
従来から、トイレ装置を遠隔操作するためのリモコン装置が知られている。
【０００３】
例えば特許文献１には、複数のスイッチを有するトイレ装置のリモートコントローラの作動電源を自己発電可能な圧電発電装置で構成し、選択されたスイッチ情報をトイレ装置へと送信することでトイレ装置を制御可能に構成した発電式のリモコン装置（以下、「発電リモコン」と称す。）が開示されている。
【０００４】
この発電リモコンでは、圧電発電装置で発電された電力を充電手段に充電し、充電手段の充電量が発信可能なレベルに達した場合に、制御部に電力を供給して制御部を起動し、制御部に上記スイッチ情報を送信させた後、電力の供給を解除して制御部を停止している。
【先行技術文献】
【特許文献】
【０００５】
【特許文献１】特開２００６−９２８０号公報
【発明の概要】
【発明が解決しようとする課題】
【０００６】
しかしながら、特許文献１に記載の発電リモコンのようにスイッチ情報の送信後に制御部が停止するのではなく、制御部を起動し続けたいという要望があった。
【０００７】
一例として、電池式のリモコンにおいて従来から適用されていた、スイッチの長押し操作を検出して所謂「特殊モード信号」を送信する構成を、発電リモコンに適用する場合には、電力確保を目的として長押し操作を複数回押し操作に代えてその複数回押し操作を制御部に認識（記憶）させるため、制御部を起動し続けたいという要望があった。また別例として、発電リモコンに表示部やブザー、センサ等を設けたりする場合にも、制御部を起動し続けたいという要望があった。
【０００８】
一方で、特許文献１に記載の発電リモコンでは、押し操作によるスイッチの移動で発電よりも前に押し操作を検出する構成となっている。このような発電リモコンにおいて制御部を起動し続ける構成を適用した場合、１回目の押し操作ではスイッチ検出より先まで強く押し操作して発電をしないと制御部が起動しないので仮に意図せずに軽く押し操作しても誤送信してしまうことが抑制されるものの、制御部が起動し続けた状態での２回目以降の押し操作ではスイッチ検出より先まで強く押し操作しなくても制御部が既に起動しているので、仮に意図せずに軽く押し操作してもスイッチを検出して誤送信してしまう。
【０００９】
そこで、本発明は、上述した課題を解決するためになされたものであり、上述した課題を解決するためになされたものであり、１回目の押し操作で制御部を起動し続けても、２回目以降の押し操作の中で意図しない軽い押し操作による誤送信を抑制することができるリモコン装置及びトイレシステムを提供することを目的の一つとしている。
【課題を解決するための手段】
【００１０】
上記検討結果を鑑みて、本発明の第１態様に係るリモコン装置は、トイレ装置を遠隔操作するためのリモコン装置であって、押し操作に応じて移動するボタン部と、前記ボタン部が検出位置まで移動したときに、前記押し操作を検出する検出部と、前記ボタン部が前記検出位置よりも先に移動したときに、その移動に応じて電力を発生する発電部と、前記発電部が発生させた電力を蓄電する蓄電部と、前記蓄電部の電力が起動電力となると起動して前記起動電力未満となるまで起動し続ける制御部であって、前記蓄電部が蓄電している電力に対応する値が前記起動電力より高い電力に対応する閾値以上であり且つ前記検出部が前記押し操作を検出した場合には、前記検出部の検出結果に応じた前記トイレ装置の制御信号の生成処理を実行し、その他の場合には、前記生成処理を実行しない制御部と、前記生成処理により生成された前記制御信号を送信する送信部と、を備える。
【００１１】
この構成において、１回目のボタン部の押し操作があり、ボタン部が検出部の検出位置よりも先に移動すると、発電部がその移動に応じた電力を発生し、蓄電部がその電力を蓄電する。そして、蓄電部の電力が起動電力となると制御部が起動する。起動した制御部は、検出部が押し操作を既に検出しているので、蓄電部が蓄電している電力に対応する値が起動電力より高い電力に対応する閾値以上である場合には生成処理を実行し、閾値未満の場合には生成処理を実行しない。なお、生成処理において制御信号の生成自体は、他の回路等が行ってもよい。このように、１回目の押し操作がユーザの意図しない軽い押し操作である場合、蓄電部の電力が起動電力以上にならないと制御部が起動せず生成処理を実行することがないので、送信部による制御信号の誤送信を抑制することができる。また、１回目の押し操作において制御部が起動して上記値が閾値未満となる電力が蓄電される程度にユーザの意図しない軽く押し操作があっても、上記値が閾値未満の場合には生成処理を実行しないので、送信部による制御信号の誤送信を抑制することができる。  
【００１２】
さらに、１回目の押し操作で制御部が起動し続けている状態で、２回目以降の押し操作の中で意図しない軽い押し操作があっても、検出部が押し操作を検出した場合という条件は満たされるものの、蓄電部が蓄電している電力に対応する値が起動電力より高い電力に対応する閾値以上である場合という条件が満たされ難いので、生成処理を実行することを抑制でき、送信部による制御信号の誤送信を抑制することができる。  
【００１３】
本発明の第２態様に係るリモコン装置は、第１態様において、前記制御部は、停止するまで前記検出結果をカウントして記憶し、記憶したカウントの回数が予め定められた回数を満たす場合に、前記制御信号と異なる特殊モード信号を前記送信部に送信させる。
【００１４】
この構成によれば、１回目の押し操作で制御部が起動し続けるので、電力不足で停止するまで押し操作のカウントの回数を記憶することができる。この結果、記憶した回数を利用して、特殊モード信号を送信することができる。
【００１５】
本発明の第３態様に係るリモコン装置は、前記制御部に接続され、前記蓄電部が蓄電している電力に対応する値を監視し、前記値が前記閾値以上であるとき前記制御部にその旨を通知する監視部、をさらに備える。
【００１６】
この構成によれば、制御部とは別に監視部があり、制御部は監視部から蓄電部が蓄電している電力に対応する値が閾値以上であるときその旨の通知を受けるので、上記通知を受けるまで制御部を待機状態にさせて、その消費電力を抑制することができる。  
【００１７】
本発明の第４態様に係るリモコン装置は、第３態様において、前記制御部は、前記蓄電部の電力により動作する状態を、第１モードと、前記第１モードよりも前記制御部の消費電力が少ない第２モードの何れか１つに設定可能とされ、前記第１モードで前記生成処理を実行した後は前記第２モードに移行し、前記第２モードに移行した後は前記監視部から前記通知を受け取ると前記第１モードに戻るように構成されている。
【００１８】
この構成によれば、制御部は、第１モードで生成処理を実行した後監視部から前記通知を受け取るまで、第１モードよりも消費電力が少ない第２モードの状態となるので、待機している状態の消費電力を抑制することができる。
【００１９】
本発明の第５態様に係るリモコン装置は、第４態様において、前記制御部は、起動した際に前記第１モードに移行し、前記監視部から前記通知を受けているか否かを判定して、肯定判定した場合には前記第２モードに移行し、否定判定した場合には前記第２モードに移行しない。
【００２０】
この構成によれば、制御部が起動して第１モードに移行しても、蓄電部が蓄電している電力に対応する値がまだ閾値以上となっていないときがある。この構成によれば、このような場合でも、制御部が第２モードに移行することで、上記値がまだ閾値以上となるまで消費電力を抑制することができる。
【００２１】
本発明の第６態様に係るリモコン装置は、第１〜第５態様の何れか１つの態様において、前記送信部による送信の後に、前記蓄電部の電力に対応する値が前記閾値以上である場合、前記蓄電部の電力を放電する放電部、をさらに備える。
【００２２】
この構成によれば、２回目以降の押し操作のときに、蓄電部の電力に対応する値が閾値以上となることを抑制でき、もって送信部による制御信号の誤送信を抑制することができる。
【００２３】
本発明の第７態様に係るリモコン装置は、第１〜第６態様の何れか１つの態様のリモコン装置と、前記リモコン装置により遠隔操作される吐水手段が設けられた前記トイレ装置と、を備えるトイレシステム。
【００２４】
この構成によれば、リモコン装置によりトイレ装置に設けられた吐水手段を遠隔操作することができると共に、その吐水手段への遠隔操作に関する制御信号の誤送信を抑制することができる。
【発明の効果】
【００２５】
本発明のリモコン装置及びトイレシステムによれば、１回目の押し操作で制御部を起動し続けても、２回目以降の押し操作の中で意図しない軽い押し操作による誤送信を抑制することができる。
【図面の簡単な説明】
【００２６】
【図１】（ａ）及び（ｂ）は、本実施形態に係るトイレシステムを模式的に示す斜視図である。
【図２】本発明の第１実施形態に係るリモコン装置を模式的に表す正面図である。
【図３】本発明の第１実施形態に係るリモコン装置を模式的に表すブロック図である。
【図４】本発明の第１実施形態に係る検出部、発電部、電源部及び制御ユニットの詳細の一例である。
【図５】本発明の第１実施形態に係るリモコン装置の内部構造を表す模式図である。
【図６】（ａ）〜（ｄ）は、本発明の第１実施形態に係るリモコン装置の一部を表す模式図である。
【図７】マイコンが実行する処理のフローチャートである。
【図８】（ａ）〜（ｅ）は、本発明の第１実施形態に係るリモコン装置の動作の一例を模式的に表すグラフ図である。
【図９】（ａ）〜（ｅ）は、本発明の第１実施形態に係るリモコン装置の動作の一例を模式的に表すグラフ図である。
【図１０】図１０（ａ）〜図１０（ｄ）は、本発明の第１実施形態に係るリモコン装置の動作の一例を模式的に表すグラフ図である。
【図１１】第２実施形態に係る検出部、発電部、電源部及び制御ユニットの詳細の一例である。
【図１２】第２実施形態に係るマイコンが実行する処理のフローチャートである。
【発明を実施するための形態】
【００２７】
以下、添付図面を参照しながら本発明の実施の形態について説明する。理解を容易にするため、各図面において同一の構成要素に対しては可能な限り同一の符号を付し、重複する説明は省略する。
【００２８】
［第１実施形態］
まず、本発明の実施の形態の中で、第１実施形態（以下、「本実施形態」と称す。）に係るトイレシステム及びトイレシステム内のリモコン装置について説明する。
【００２９】
＜トイレシステムの構成＞
図１（ａ）及び図１（ｂ）は、本実施形態に係るトイレシステムを模式的に示す斜視図である。
【００３０】
図１（ａ）及び図１（ｂ）に示すように、トイレシステムＳは、例えばトイレブース内に構成され、リモコン装置１０と、トイレ装置１００と、を備えている。
【００３１】
リモコン装置１０は、トイレ装置１００と共に用いられる。リモコン装置１０は、複数の操作ボタン１２を含む。各操作ボタン１２は、例えば、押し操作が可能な、いわゆる押しボタンである。各操作ボタン１２は、定常位置と最下点位置（最深位置）とに移動可能であり、押し操作に応じて定常位置から最下点位置に移動する。また、各操作ボタン１２は、図示を省略したバネなどにより、操作されていない状態において定常位置に保持される。各操作ボタン１２は、押し操作によって最下点位置に移動した後、押し操作の解除によって定常位置に戻る。
【００３２】
リモコン装置１０は、各操作ボタン１２の操作を検出し、操作された操作ボタン１２に応じた無線制御信号をトイレ装置１００に送信する。トイレ装置１００は、リモコン装置１０から送信された無線制御信号を受信し、その無線制御信号に応じた動作を実行する。このように、リモコン装置１０は、使用者の操作に応じて、所定の動作の実行をトイレ装置１００に指示し、トイレ装置１００を遠隔操作する。
【００３３】
トイレ装置１００は、洋式腰掛便器１１０（以下、便器１１０と称す）と、その上に設けられた便座ユニット１２０と、を備える。
【００３４】
便器１１０は、ボウル部１１２を有する。ボウル部１１２は、便器１１０の上部に設けられる。ボウル部１１２は、便器１１０の上面１１０ａよりも凹んだ凹状である。ボウル部１１２は、使用者から排泄された汚物や尿などを受ける。また、ボウル部１１２は、内部に水を貯留し、排水管から悪臭や害虫類などが室内に侵入することを防ぐ。
【００３５】
便座ユニット１２０は、例えば、本体部１２２と、便座１２４と、便蓋１２６と、を有する。便座１２４と便蓋１２６とは、本体部１２２に対して開閉可能にそれぞれ軸支されている。便蓋１２６は、閉じた状態において便座１２４の上方を覆う。図１（ａ）及び図１（ｂ）は、便蓋１２６が開いた状態を表している。図１（ａ）は、便座１２４が開いた状態を表している。図１（ｂ）は、便座１２４が閉じた状態を表している。なお、便蓋１２６は、必ずしも設けられていなくてもよい。
【００３６】
便座ユニット１２０は、例えば、衛生洗浄機能と、局部乾燥機能と、便座暖房機能と、を有する。衛生洗浄機能は、便座１２４に座った使用者の「おしり」などを洗浄する洗浄動作を行う機能である。局部乾燥機能は、便座１２４に座った使用者の「おしり」などに温風を吹き付けることにより、衛生洗浄によって濡れた「おしり」などを乾燥させる乾燥動作を行う機能である。便座暖房機能は、便座１２４の着座面を適温に温める便座加熱動作を行う機能である。
【００３７】
衛生洗浄機能では、例えば、使用者の操作に応じて、人体局部に向けて洗浄水を吐水する吐水手段としてのノズル１３０を本体部１２２から便器１１０のボウル部１１２内に進出させる。そして、ノズル１３０の先端付近に設けられた吐水口から洗浄水を噴射する。これにより、使用者の「おしり」などを洗浄することができる。ノズル１３０は、衛生洗浄機能を実行していない状態では、本体部１２２内に収納される。
【００３８】
また、衛生洗浄機能は、例えば、使用者の「おしり」に向けて洗浄水を噴射するおしり洗浄機能と、女性局部に向けて洗浄水を噴射するビデ洗浄機能と、を含む。衛生洗浄機能では、冷水のみならず、ヒータによって加熱した温水を洗浄水として吐水口から噴射することもできる。
【００３９】
本体部１２２は、リモコン装置１０から送信された無線制御信号を受信し、その受信した無線制御信号に対応した通常動作を実行するトイレ制御部（不図示）を備える。本体部１２２は、便器１１０の上部後方に設置される。本体部１２２の前面は、ボウル部１１２の開口端の形状に沿って凹状に湾曲した湾曲凹面１３２を有する。湾曲凹面１３２の左右には、ボウル部１１２の開口端に沿って前方に向けて延出した延出部１３４が設けられている。湾曲凹面１３２は、その中央付近が高く、左右の延出部１３４に近づくにしたがって次第に低くなる形状を有する。
【００４０】
湾曲凹面１３２の中央には、ノズルダンパー１３６と温風ダンパー１３８とが設けられている。ノズルダンパー１３６は、ノズル１３０を進出及び後退させる開口部を覆う閉止部材である。温風ダンパー１３８は、ノズルダンパー１３６の右側に並べて配置されている。温風ダンパー１３８は、局部乾燥用の温風の吹出口を覆う閉止部材である。ノズルダンパー１３６及び温風ダンパー１３８は、例えば、本体部１２２に回動可能に支持されている。
【００４１】
ノズルダンパー１３６は、例えば、支持軸を中心に回転することにより、開口部を覆う閉じ位置と、開口部を露出させる開き位置との間で移動する。ノズルダンパー１３６は、衛生洗浄機能を実行していない待機状態において、閉じ位置に保持される。そして、ノズルダンパー１３６は、衛生洗浄機能の実行によってノズル１３０が進出する際に、開き位置に移動する。
【００４２】
温風ダンパー１３８は、例えば、支持軸を中心に回転することにより、吹出口を覆う閉じ位置と、吹出口を露呈させる開き位置との間で移動する。温風ダンパー１３８は、局部乾燥機能を実行していない待機状態において、閉じ位置に保持される。そして、温風ダンパー１３８は、局部乾燥機能の実行によって使用者の「おしり」などに温風を吹き付ける際に、開き位置に移動する。
【００４３】
＜リモコン装置の構成＞
図２は、本発明の第１実施形態に係るリモコン装置を模式的に表す正面図である。
【００４４】
図２に示すように、リモコン装置１０は、ボタン部としての複数の操作ボタン１２と、各操作ボタン１２を支持するリモコン本体１４と、を備える。複数の操作ボタン１２は、メインボタン群１２ｍと、サブボタン群１２ｓと、に分けられている。
【００４５】
メインボタン群１２ｍは、例えば、おしり洗浄ボタン１２ａと、ビデ洗浄ボタン１２ｂと、乾燥ボタン１２ｃと、停止ボタン１２ｄと、を含む。
【００４６】
おしり洗浄ボタン１２ａは、トイレ装置１００におしり洗浄の開始を指示するためのボタンである。ビデ洗浄ボタン１２ｂは、トイレ装置１００にビデ洗浄の開始を指示するためのボタンである。乾燥ボタン１２ｃは、トイレ装置１００に局部乾燥の開始を指示するためのボタンである。停止ボタン１２ｄは、トイレ装置１００に衛生洗浄機能や局部乾燥機能の停止を指示するためのボタンである。すなわち、この例においては、おしり洗浄ボタン１２ａとビデ洗浄ボタン１２ｂとが、ノズル１３０からの吐水を行わせるための吐水ボタンである。停止ボタン１２ｄは、ノズル１３０からの吐水を停止させる。
【００４７】
このように、メインボタン群１２ｍには、衛生洗浄や局部乾燥などの各種の機能の実行及び停止をトイレ装置１００に指示するための操作ボタン１２が設けられる。
【００４８】
サブボタン群１２ｓは、例えば、吐水流量大ボタン１２ｅと、吐水流量小ボタン１２ｆ
と、洗浄位置前進ボタン１２ｇと、洗浄位置後退ボタン１２ｈと、を含む。
【００４９】
吐水流量大ボタン１２ｅは、衛生洗浄時に噴射される洗浄水の勢いを強くする指示をトイレ装置１００に入力するためのボタンである。吐水流量小ボタン１２ｆは、衛生洗浄時に噴射される洗浄水の勢いを弱くする指示をトイレ装置１００に入力するためのボタンである。洗浄位置前進ボタン１２ｇは、洗浄位置（ノズル１３０の位置）を前進させる指示をトイレ装置１００に入力するためのボタンである。洗浄位置後退ボタン１２ｈは、洗浄位置を後退させる指示をトイレ装置１００に入力するためのボタンである。
【００５０】
このように、サブボタン群１２ｓには、各種の機能の状態の変更をトイレ装置１００に指示するための操作ボタン１２が設けられる。
【００５１】
なお、メインボタン群１２ｍ及びサブボタン群１２ｓに含まれる操作ボタン１２は、上記に限定されるものではない。例えば、サブボタン群１２ｓには、洗浄水や乾燥風の温度の変更をトイレ装置１００に指示するための操作ボタン１２などを設けてもよい。
【００５２】
図３は、本発明の第１実施形態に係るリモコン装置を模式的に表すブロック図である。
【００５３】
図３に示すように、リモコン装置１０は、複数の検出部２０と、発電部２２と、電源部２４と、制御ユニット２６と、をさらに備える。
【００５４】
複数の検出部２０は、複数の操作ボタン１２のそれぞれに対応して設けられる。複数の検出部２０のそれぞれは、複数の操作ボタン１２のそれぞれの押し操作によって検出位置まで移動したときに、操作ボタン１２の押し操作を検出する。各検出部２０には、例えば、機械式のスイッチ又はホール素子が用いられる。本実施形態では、機械式のスイッチの場合を説明する。
【００５５】
発電部２２は、複数の操作ボタン１２のいずれか１つの押し操作に応じて発電を行う。本実施形態では、後述するように、発電部２２は、１つの操作ボタン１２が検出位置よりも先に移動したときに、その移動（移動量或いは下記モータの場合にはその移動量に基づく移動速度）に応じて電力を発生する構成となっている。発電部２２には、例えば、モータが設けられている。発電部２２は、操作ボタン１２の押し操作にともなう操作力をモータの回転軸に伝達し、回転軸を回転させる。これにより、発電部２２は、モータから交流の電力を発生させる。発電部２２の発電方式は、モータに限ることなく、必要な電力を供給できる任意の方式でよい。また、発電部２２から出力される電力は、直流でもよいし、脈流でもよい。
【００５６】
発電部２２と各操作ボタン１２との間には、伝達機構３０が設けられている。伝達機構３０は、各操作ボタン１２の押し操作にともなう操作力を発電部２２に伝達する。これにより、各操作ボタン１２のいずれを押し操作しても、その操作力が発電部２２に伝達され、発電部２２が発電を行う。従って、リモコン装置１０では、複数の操作ボタン１２に対し、１つの発電部２２で発電を行うことができる。
【００５７】
伝達機構３０は、例えば、第１伝達部３１と第２伝達部３２とを含む。第１伝達部３１は、メインボタン群１２ｍの各操作ボタン１２の操作力を受け、その操作力を第２伝達部３２に伝達する。第２伝達部３２は、第１伝達部３１からの操作力を受けるとともに、サブボタン群１２ｓの各操作ボタン１２の操作力を受け、その操作力を発電部２２に伝達する。
【００５８】
制御ユニット２６は、複数の検出部２０のそれぞれと電気的に接続されている。制御ユニット２６は、複数の検出部２０のそれぞれの検出結果を基に、押し操作された操作ボタン１２を判別する。そして、制御ユニット２６は、判別した操作ボタン１２に対応した無線制御信号をトイレ装置１００に送信することにより、トイレ装置１００を遠隔操作する。
【００５９】
制御ユニット２６は、例えば、おしり洗浄ボタン１２ａの押し操作を判別した場合、おしり洗浄の開始を指示する無線制御信号をトイレ装置１００に送信する。トイレ装置１００は、リモコン装置１０からの無線制御信号を受信し、その無線制御信号に対応した処理を実行する。トイレ装置１００は、例えば、おしり洗浄の開始を指示する無線制御信号の受信に応じて、ノズル１３０をボウル部１１２内に進出させ、ノズル１３０からの吐水を開始する。
【００６０】
制御ユニット２６は、１回の押し操作で、例えば、同じ無線制御信号をトイレ装置１００に複数回送信する。制御ユニット２６は、例えば、同じ無線制御信号をトイレ装置１００に３回送信する。これにより、例えば、リモコン装置１０とトイレ装置１００との間の通信ミスを抑制することができる。
【００６１】
制御ユニット２６は、例えば、制御部としてのマイコン４０と、高周波発生回路４２と、送信部４４と、を含む。マイコン４０は、例えば、押し操作された操作ボタン１２の判別、及び、判別した操作ボタン１２に対応する信号の生成を行う。高周波発生回路４２は、例えば、マイコン４０の生成した信号を高周波信号に変換する。高周波発生回路４２は、例えば、２．４ＧＨｚの高周波信号を生成する。送信部４４は、例えば、アンテナを含み、高周波発生回路４２の生成した高周波信号を無線制御信号に変換してトイレ装置１００に送信する。
【００６２】
制御ユニット２６は、例えば、２．４ＧＨｚの無線制御信号をトイレ装置１００に送信する。２．４ＧＨｚ帯を用いた無線通信では、例えば、赤外線通信の場合のように、電波の透過窓（いわゆる黒窓）をリモコン本体１４に設ける必要がなくなる。これにより、例えば、リモコン装置１０の意匠性を高めることができる。また、２．４ＧＨｚ帯を用いた無線通信では、赤外線通信に比べて障害物の影響が小さい。これにより、トイレ装置１００との間の通信品質を高めることもできる。
【００６３】
なお、マイコン４０、高周波発生回路４２及び送信部４４は、１つのチップ内に納めてもよいし、異なる素子として分けてもよい。リモコン装置１０とトイレ装置１００との間の通信は、上記に限ることなく、任意でよい。制御ユニット２６の構成は、上記に限ることなく、操作ボタン１２の判別やトイレ装置１００との無線通信などが可能な任意の構成でよい。
【００６４】
電源部２４は、発電部２２によって発電された電力を蓄積（蓄電）する蓄電部としての蓄電素子５０を含む。
【００６５】
図４は、検出部、発電部、電源部及び制御ユニットの詳細の一例である。
【００６６】
制御部としてのマイコン４０は、例えば、ひとつのＩＣ（Integrated Circuit)チップ上にＣＰＵ（Central Processing Unit）からＲＡＭ（Random Access Memory）、ＲＯＭ（read only memory）、各種入力装置等を搭載した処理装置のワンチップマイコンである。また、マイコン４０は、蓄電素子５０の電力が起動電力となると起動して起動電力未満となるまで起動し続ける構成となっている。さらに、マイコン４０は、蓄電素子５０の電力により動作する状態を、第１モードとしての通常モードと、通常モードよりもマイコン４０の消費電力が少ない第２モードとしての低消費モード（ストップモード）の何れか１つに設定可能とされている。また、マイコン４０は、通常モードで後述する生成処理を実行した後は低消費モードに移行し、この低消費モードに移行した後は閾値以上となった旨の通知を受け取ると（信号が入力されると）通常モードに戻るように構成されている。なお、低消費モードには、マイコン４０が起動している状態で、何も動作していない待機状態を含む。
【００６７】
このようなマイコン４０は、例えば、入力ピンＩ１〜Ｉ１１（但し、Ｉ９は電源ピン）と、出力ピンＯ１と、を有する。
【００６８】
出力ピンＯ１には、送信機５２が接続されている。送信機５２は、高周波発生回路４２及び送信部４４を含んでいる。
【００６９】
入力ピンＩ１〜Ｉ８には、それぞれ検出部２０が電気的に接続されている。検出部２０は、理解を容易にするため、図４中では、機械式のスイッチで表している。
【００７０】
電源ピンＩ９には、整流回路５８や蓄電素子５０に電気的に接続され、マイコン４０は電源ピンＩ９を介して蓄電素子５０から電力供給が行われる。
【００７１】
入力ピンＩ１０には、監視部としての電圧検出回路５４が電気的に接続されている。電圧検出回路５４には、蓄電素子５０が電気的に接続されている。電圧検出回路５４は、蓄電素子５０が蓄電している電力に対応するパラメータを監視し、このパラメータが予め定められた閾値以上であるときマイコン４０にその旨を通知する。この「電力に対応するパラメータ」とは、電力値、電流値、電圧値等である。具体的には、電圧検出回路５４は、例えばＩＣで構成され、蓄電素子５０の電圧値が閾値としての例えば３．０Ｖ以上であるか否か常時判断する。そして、電圧検出回路５４は、蓄電素子５０の電圧値が３．０Ｖ以上であると判断したとき、例えばマイコン４０の入力ピンＩ１０にＨｉｇｈ信号を出力する。また、蓄電素子５０の電圧値が３．０Ｖ未満であると判断したとき、例えばマイコン４０の入力ピンＩ１０にＬｏｗ信号を出力する。
【００７２】
入力ピンＩ１１には、リセット回路５６が電気的に接続されている。リセット回路５６には、蓄電素子５０が電気的に接続されている。リセット回路５６は、蓄電素子５０が蓄電している電力に対応するパラメータを監視し、このパラメータが予め定められた閾値以上であるときマイコン４０にその旨を通知する。具体的には、リセット回路５６は、電圧検出回路５４と同様に例えばＩＣで構成され、蓄電素子５０の電圧値が起動電圧（マイコン４０の起動に必要な電圧）、例えば１．８Ｖ未満であるか否か常時判断する。そして、リセット回路５６は、蓄電素子５０の電圧値が１．８Ｖ未満であると判断したとき、例えばマイコン４０の入力ピンＩ１１にＨｉｇｈ信号を出力する。また、蓄電素子５０の電圧値が１．８Ｖ以上であると判断したとき、例えばマイコン４０の入力ピンＩ１１にＬｏｗ信号を出力する。
【００７３】
なお、これら電圧検出回路５４及びリセット回路５６は、例えばマイコン４０に内蔵され得る機能を用いることで、省略してもよい。ただし、電圧検出回路５４は、マイコン４０を適宜後述するストップモード（低消費モード）にするためには、電圧検出回路５４をマイコン４０とは別に設けることが好ましい。
【００７４】
蓄電素子５０には、整流回路５８を介して発電部２２の出力が電気的に接続されている。
【００７５】
整流回路５８は、発電部２２から出力される交流電力を整流し、脈流電力に変換する。整流回路５８は、例えば、４つのダイオードを含むダイオードブリッジである。蓄電素子５０は、整流回路５８の出力に電気的に接続され、整流回路５８から出力される脈流電力を蓄積する。また、これにより、蓄電素子５０は、整流回路５８の脈流電力を直流電力に変換する。また、整流回路５８の後の電気線には、蓄電素子５０と並列に過充電防止回路６０が接続されている。
【００７６】
過充電防止回路６０は、蓄電素子５０の電圧を例えば常時監視しており、蓄電素子５０の電圧値が過充電防止電圧値、例えば３．５Ｖを超えた瞬間に蓄電素子に供給される電力を放電する。これにより、蓄電素子５０の過充電が防止される。
【００７７】
図５は、本実施形態に係るリモコン装置の内部構造を表す模式図である。
【００７８】
図５に示すように、発電部２２は、本体モジュール２２ａと、可動部２２ｂと、を含む。可動部２２ｂは、本体モジュール２２ａから突出した突出位置と、本体モジュール２２ａ内に押し込まれた押し込み位置と、に移動する。可動部２２ｂは、図示を省略したバネなどにより、操作されていない状態において突出位置に保持される。可動部２２ｂを突出位置から押し込み位置に移動させる。発電部２２は、この可動部２２ｂの移動にともなう操作力により、発電を行う。
【００７９】
第１伝達部３１は、メインボタン群１２ｍの各操作ボタン１２のそれぞれと対向する棒状である。第２伝達部３２は、サブボタン群１２ｓの各操作ボタン１２のそれぞれと対向する棒状である。また、第２伝達部３２は、長手方向において発電部２２の可動部２２ｂと対向する位置に配置されている。
【００８０】
第１伝達部３１及び第２伝達部３２は、図中矢線で表すように、長手方向にスライド可能に取り付けられている。すなわち、第１伝達部３１及び第２伝達部３２は、いわゆるスライドバーである。また、第１伝達部３１及び第２伝達部３２は、連結部材３３によって互いに接続されている。これにより、第１伝達部３１及び第２伝達部３２は、互いに連動してスライド移動する。
【００８１】
メインボタン群１２ｍの各操作ボタン１２のいずれかを押し操作すると、その操作力が第１伝達部３１に伝わり、第１伝達部３１がスライド移動する。第１伝達部３１がスライド移動すると、連結部材３３を介して第２伝達部３２がスライド移動し、可動部２２ｂに当接して可動部２２ｂを突出位置から押し込み位置に移動させる。
【００８２】
サブボタン群１２ｓの各操作ボタン１２のいずれかを押し操作すると、その操作力が第２伝達部３２に伝わり、第２伝達部３２がスライド移動する。スライド移動した第２伝達部３２は、可動部２２ｂに当接し、可動部２２ｂを突出位置から押し込み位置に移動させる。これにより、各操作ボタン１２の押し操作によって、発電部２２が発電を行う。
【００８３】
図６（ａ）〜図６（ｄ）は、本発明の第１実施形態に係るリモコン装置の一部を表す模式図である。図６（ａ）〜図６（ｄ）は、操作ボタン１２の押し操作の一例を模式的に表す。図６（ａ）は、操作ボタン１２が定常位置にある状態を表している。図６（ｂ）は、検出部２０が押し操作を検出する操作ボタン１２の位置を表している。図６（ｃ）は、操作ボタン１２が最下点位置にある状態を表している。図６（ｄ）は、検出部２０が押し操作の検出状態を解除する操作ボタン１２の位置を表している。
【００８４】
図６（ａ）〜図６（ｄ）に表したように、検出部２０は、例えば、ホール素子２０ａと、磁石２０ｂと、を含む。ホール素子２０ａは、例えば、リモコン本体１４内の所定の位置に保持されている。磁石２０ｂは、操作ボタン１２に取り付けられている。検出部２０は、操作ボタン１２の押し操作に応じてホール素子２０ａと磁石２０ｂとの間の距離が近づくことにより、操作ボタン１２の押し操作を検出する。このように、検出部２０は、例えば、非接触で操作ボタン１２の押し操作を検出する。ホール素子２０ａと磁石２０ｂとの位置は、上記と反対に、ホール素子２０ａを操作ボタン１２に設け、磁石２０ｂをリモコン本体１４内に設けてもよい。押し操作の検出方法は、これに限ることなく、任意の方法でよい。
【００８５】
第２伝達部３２には、傾斜面状のスライドカム３２ａが設けられている。操作ボタン１２には、スライドカム３２ａと対向する位置に、スライドカム３２ａに対応した傾斜面１２ｐが設けられている。これにより、操作ボタン１２を押し操作すると、スライドカム３２ａの傾斜に従って垂直方向の力が水平方向の力に変換され、第２伝達部３２がスライド移動する。なお、図示は省略するが、第１伝達部３１も第２伝達部３２と同様に、スライドカムによってスライド移動する。
【００８６】
図６（ｂ）に表したように、操作ボタン１２を押し操作してホール素子２０ａと磁石２０ｂとの間の距離を近づける。これにより、検出部２０によって操作ボタン１２の押し操作が検出される。
【００８７】
図６（ｃ）に表したように、操作ボタン１２をさらに押し、最下点位置に移動させる。これにより、発電部２２の可動部２２ｂが押し込み位置に移動し、発電部２２によって発電が行われる。
【００８８】
このように、複数の検出部２０は、発電部２２の発電よりも前に、対応する各操作ボタン１２の押し操作を検出する。すなわち、複数の検出部２０は、制御ユニット２６の起動よりも前に押し操作を検出する。
【００８９】
また、発電部２２は、検出部２０の検出位置（図６（ｂ）に表した位置）よりも最下点位置側の発電位置に操作ボタン１２が移動した際に、電力を発生する。これにより、発電部２２は、押し操作のみで制御ユニット２６からの無線制御信号の送信を可能にする。
【００９０】
発電位置は、検出位置と最下点位置との間の位置、または、最下点位置である。また、この例では、可動部２２ｂが押し込み位置に移動した時に、発電部２２で発電が行われる。発電が行われる可動部２２ｂの位置は、押し込み位置に限ることなく、突出位置と押し込み位置との間の任意の位置でもよい。
【００９１】
操作ボタン１２の押し操作を解除すると、弾性力によって発電部２２の可動部２２ｂが突出位置に戻る。可動部２２ｂが突出位置に戻ると、伝達機構３０を介して弾性力が操作ボタン１２に伝わり、操作ボタン１２が定常位置に戻る。なお、操作ボタン１２は、発電部２２内に設けられた弾性体（バネやゴムなど）からの弾性力のみで定常位置に戻してもよいし、伝達機構３０や操作ボタン１２に別の弾性体をさらに設けて定常位置に戻してもよい。
【００９２】
図６（ｄ）に表したように、複数の検出部２０は、押し操作の解除にともなって操作ボタン１２が発電位置から定常位置に戻るまでの間に、押し操作の検出状態を解除する。この時、検出部２０は、ホール素子２０ａのヒステリシス性により、磁石２０ｂとの距離が検出時よりも離れた状態で検出を解除する。これにより、複数の検出部２０のそれぞれにおいて、検出状態が解除される操作ボタン１２の位置は、検出位置よりも定常位置に近くなる。
【００９３】
＜マイコン４０の処理＞
次に、図４及び図７を用いて、マイコン４０の処理について説明する。
【００９４】
図７は、マイコン４０が実行する処理のフローチャートである。図７に示す処理の前は、マイコン４０は、未起動の状態、すなわち停止状態である。そして、図７に示す動作は、マイコン４０の入力ピンＩ１１にリセット回路５６から入力される入力信号がＨｉｇｈ信号からＬｏｗ信号に切り替わって、すなわち、蓄電素子５０の電圧値が起動電圧（例えば１．８Ｖ）以上となってマイコン４０が起動した後に、実行される。なお、マイコン４０は、ハードウェアとして、起動した際に通常モードに移行する構成となっている。
【００９５】
（ステップＳＰ１０）
マイコン４０は、例えば、停止ボタン１２ｄの押し操作回数ｋに、「０」を代入する（ｋ＝０）。そして、マイコン４０は、ステップＳＰ１２の処理に移行する。
【００９６】
（ステップＳＰ１２）
マイコン４０は、図４に示す入力ピンＩ１０に電圧検出回路５４から入力される入力信号がＬｏｗ信号か否か判断する。マイコン４０は、肯定判断した場合（Ｙｅｓ）、すなわち、蓄電素子５０の電圧値が閾値（３．０Ｖ）未満であるときは、ステップＳＰ１４の処理に移行する。また、マイコン４０は、否定判断した場合（Ｎｏ）、すなわち、蓄電素子５０の電圧値が閾値（例えば３．０Ｖ）以上であるときは、ステップＳＰ１６の処理に移行する。
【００９７】
（ステップＳＰ１４）
マイコン４０は、低消費モードに移行する。低消費モードの状態のマイコン４０は、ハードウェアによるものであるので図示しないものの、入力ピンＩ１０に電圧検出回路５４から入力される入力信号がＨｉｇｈ信号となると、通常モードに移行する。そして、通常モードに移行すると、マイコン４０は、ステップＳＰ１６の処理に移行する。
【００９８】
（ステップＳＰ１６）
マイコン４０は、図４に示す入力ピンＩ１〜Ｉ１０の入力信号に基づき、複数の検出部２０のうちいずれか１つの検出部２０が押し操作を検出したか否かを判断する。
【００９９】
マイコン４０は、上記判断で肯定判断すると、複数の操作ボタン１２のうちどの操作ボタン１２の押し操作があったか否か判別する。判別後、マイコン４０は、ステップＳＰ１８の処理に移行する。
判別の際、マイコン４０は、例えば、入力ピンＩ１の入力信号がＨｉｇｈであると例えばおしり洗浄ボタン１２ａの押し操作であると判別し、入力ピンＩ２の入力信号がＨｉｇｈであると例えばビデ洗浄ボタン１２ｂの押し操作であると判別し、入力ピンＩ３の入力信号がＨｉｇｈであると例えば乾燥ボタン１２ｃの押し操作であると判別し、入力ピンＩ４の入力信号がＨｉｇｈであると例えば停止ボタン１２ｄの押し操作であると判別する。また、マイコン４０は、例えば、入力ピンＩ５の入力信号がＨｉｇｈであると例えば吐水流量大ボタン１２ｅの押し操作であると判別し、入力ピンＩ６の入力信号がＨｉｇｈであると例えば吐水流量小ボタン１２ｆの押し操作であると判別し、入力ピンＩ７の入力信号がＨｉｇｈであると例えば洗浄位置前進ボタン１２ｇの押し操作であると判別し、入力ピンＩ８の入力信号がＨｉｇｈであると例えば洗浄位置後退ボタン１２ｈの押し操作であると判別する。
【０１００】
マイコン４０は、上記判断で否定判断すると、このステップＳＰ２４の処理に移行する。  
【０１０１】
（ステップＳＰ１８）
マイコン４０は、押し操作された操作ボタン１２の押し操作回数ｋをカウントする。すなわち、マイコン４０は、押し操作回数ｋに「１」を加算する（ｋ＝ｋ＋１）。ただし、本実施形態では、例えばステップＳＰ１４で押し操作が停止ボタン１２ｄの押し操作であると判断したときにのみ、当該停止ボタン１２ｄの押し操作回数ｋをカウントして記憶する。なお、この押し操作回数ｋは、マイコン４０がリセットされると消去される。
【０１０２】
（ステップＳＰ２０）
マイコン４０は、押し操作された操作ボタン１２の検出結果に応じた送信処理を実行する。具体的には、押し操作された操作ボタン１２の種類及び押し操作回数に対応する制御信号の生成を行う生成処理を実行する。
【０１０３】
本実施形態では、マイコン４０は、押し操作された操作ボタン１２が停止ボタン１２ｄである場合、カウントした押し操作の回数ｋが例えば「４」を示すまでは、停止ボタン１２ｄの種類に対応する制御信号（止め制御信号）の生成を行い、カウントした押し操作の回数ｋが予め定められた回数を満たす、例えば「５」を満たすと、止め制御信号と異なる特殊モード信号の生成を行う。ここで、「特殊モード信号」とは、トイレ装置とリモコン装置とのペアリングや、管理者や施工者などの特定の者のみ使用することができる温度調整や流量調整等の設定を行うための制御信号である。
また、マイコン４０は、押し操作された操作ボタン１２が停止ボタン１２ｄ以外のボタンの押し操作である場合、押し操作の回数ｋに関係なく、当該ボタンの種類に対応する制御信号の生成を行う。
【０１０４】
マイコン４０は、生成処理にて制御信号を生成すると、図４に示す出力ピンＯ１を介して送信機５２に出力する。これにより送信機５２は、高周波発生回路４２にてマイコン４０から入力された制御信号を高周波信号に変換し、送信部４４にて高周波信号を無線制御信号に変換してトイレ装置１００に送信する。なお、制御信号の送信は、１回だけでなく、複数回であってもよい。ただし、この回数は、発電量にもよるが、発電部の発電量及び蓄電素子５０の蓄電量には限りがあるので、電池式のリモコン装置に比べて、少なくなり得る。
【０１０５】
（ステップＳＰ２２）
マイコン４０は、送信機５２の送信が完了したか否か判断する。マイコン４０は、肯定判断した場合はステップＳＰ２４の処理に移行し、否定判断した場合には、このステップＳＰ２２の処理に戻る。
【０１０６】
（ステップＳＰ２４）
マイコン４０は、図４に示す入力ピンＩ１０に電圧検出回路５４から入力される入力信号がＬｏｗ信号か否か判断する。マイコン４０は、肯定判断した場合（Ｙｅｓ）、すなわち、蓄電素子５０の電圧値が閾値（３．０Ｖ）未満であるときは、ステップＳＰ２６の処理に移行する。また、マイコン４０は、否定判断した場合（Ｎｏ）、すなわち、蓄電素子５０の電圧値が閾値（例えば３．０Ｖ）以上であるときは、ステップＳＰ２４の処理に戻る。
【０１０７】
（ステップＳＰ２６）
マイコン４０は、低消費モードに移行する。低消費モードの状態のマイコン４０は、ハードウェアによるものであるので図示しないものの、入力ピンＩ１０に電圧検出回路５４から入力される入力信号がＨｉｇｈ信号となると、通常モードに移行する。そして、通常モードに移行すると、マイコン４０は、ステップＳＰ１６の処理に戻る。
【０１０８】
以上の処理、特にステップＳＰ１６〜ＳＰ２４は、入力ピンＩ１１に入力される入力信号がＨｉｇｈ信号となるまで、繰り返される。マイコン４０は、入力ピンＩ１１に入力される入力信号がＨｉｇｈ信号となると、リセットされる（停止する）。
【０１０９】
＜リモコン装置１０の作用の一例＞
次に、本実施形態に係るリモコン装置１０の作用の一例について説明する。
【０１１０】
図８（ａ）〜図８（ｅ）は、本実施形態に係るリモコン装置１０の動作の一例を模式的に表すグラフ図である。図８（ａ）〜図８（ｅ）の横軸は、時間（秒）である。図８（ａ）の縦軸は、任意の操作ボタン１２の位置（ｍｍ）である。図８（ｂ）の縦軸は、検出部２０の検出の有無を表している。図８（ｃ）の縦軸は、蓄電素子５０の電圧（Ｖ）を表している。図８（ｄ）の縦軸は、マイコン４０のモードを表している。図８（ｄ）中には、通常の動作を行う通常モードと、動作が行われない状態である停止モードと、少なくともタイマカウントを行い、押し操作の回数ｋの記憶を継続でき、通常モードよりも電力の消費を抑えた低消費モードと、が表されている。図８（ｅ）の縦軸は、送信機５２の送信の有無を表している。
【０１１１】
図８（ａ）〜図８（ｅ）では、使用者が、１回目及び２回目の操作ボタン１２の押し操作とも、最下点位置まで強く押し操作する場合を説明する。以下、括弧内のｔ１〜ｔ１８は、０秒から順次経過していく秒数を表している。
【０１１２】
（０秒以上ｔ１秒未満の間）
０秒以上ｔ１秒未満の間は、任意の操作ボタン１２は定常位置にあり、操作ボタン１２に対応する検出部２０の検出は無い。また、０秒以上ｔ１秒未満の間は、蓄電素子５０の電圧は０Ｖであり、マイコン４０は停止モードの状態にあり、送信機５２の送信は無い。
【０１１３】
（ｔ１秒以上ｔ２秒未満の間）
使用者は、トイレ装置１００を使用した後などのｔ１秒において、必要に応じてリモコン装置１０の任意の操作ボタン１２をしっかりと押し始める。ｔ１秒超ｔ２秒未満の間、押し操作された操作ボタン１２は定常位置から最下点位置に向かって移動し続ける。ｔ１秒以上ｔ２秒未満の間、操作ボタン１２に対応する検出部２０の検出は無く、蓄電素子５０の電圧は０Ｖであり、マイコン４０は停止モードの状態にあり、送信機５２の送信は無い。
【０１１４】
（ｔ２秒以上ｔ３秒未満の間）
ｔ２秒において、押し操作された操作ボタン１２は検出位置に到達し、ｔ２秒超ｔ３秒未満の間、検出位置から最下点位置に向かって移動し続ける。ｔ２秒において、操作ボタン１２に対応する検出部２０の検出が有の状態となり、ｔ２秒超ｔ３秒未満の間、この有りの状態が続く。また、ｔ２秒以上ｔ３秒未満の間、蓄電素子５０の電圧は０Ｖであり、マイコン４０は停止モードの状態にあり、送信機５２の送信は無い。
ｔ２秒では、まだ発電部２２で発電が行われておらず、マイコン４０も起動していない。このように、検出部２０は、制御ユニット２６の起動よりも前に押し操作を検出する。従って、マイコン４０が起動した際には、既に押し操作が検出された状態となる。これにより、例えば、マイコン４０における操作ボタン１２の判別を適切に行うことができる。
【０１１５】
（ｔ３秒以上ｔ４秒未満の間）
ｔ３秒において、押し操作された操作ボタン１２は発電位置に到達し、ｔ３秒超ｔ４秒未満の間、発電位置から最下点位置に向かって移動し続ける。ｔ３秒以上ｔ４秒未満の間、検出部２０の検出は、有りの状態が続く。押し操作された操作ボタン１２は発電位置を超えると、操作力が伝達機構３０を介して発電部２２の可動部２２ｂに伝わり、可動部２２ｂが押し込み位置に移動する。可動部２２ｂが押し込み位置に移動すると、発電部２２で発電が行われる。この結果、ｔ３秒以上ｔ４秒未満の間、蓄電素子５０の電圧が０から高くなっていく。また、ｔ３秒以上ｔ４秒未満の間、マイコン４０は停止モードの状態にあり、送信機５２の送信は無い。
【０１１６】
（ｔ４秒以上ｔ５秒未満の間）
ｔ４秒において、操作ボタン１２はしっかりと押し操作されているため、最下点位置に到達し、ｔ４秒超ｔ５秒未満の間、最下点位置を維持する。ｔ４秒以上ｔ５秒未満の間、検出部２０の検出は有りの状態が続き、蓄電素子５０の電圧は、上がり続ける。なお、図８（ｃ）では、操作ボタン１２が最下点位置に到達したときに、蓄電素子５０の電圧は、起動電圧：１．８Ｖに達しているが、操作ボタン１２の最下点位置の前後で、起動電圧：１．８Ｖに達してもよい。
また、ｔ４秒において、蓄電素子５０の電圧は、起動電圧：１．８Ｖに達しているため、入力ピンＩ１１に入力される入力信号がＬｏｗ信号となる。この結果、マイコン４０が蓄電素子５０の電力を利用し停止モードから起動して、通常モードに移行する。ただし、図７に示すステップＳＰ１０〜ＳＰ１４の処理が行われることによって、ｔ４秒超ｔ５秒未満の間、マイコン４０は、通常モードから低消費モードに移行する。
また、ｔ４秒以上ｔ５秒未満の間、送信機５２の送信は無い。
【０１１７】
（ｔ５秒以上ｔ６秒未満の間）
ｔ５秒以上ｔ６秒未満の間、操作ボタン１２は最下点位置を維持し、検出部２０の検出は有りの状態が続く。ｔ５秒において、蓄電素子５０の電圧は閾値：３．０Ｖに到達する。ｔ５秒超ｔ６秒未満の間、蓄電素子５０の電圧は、最初の間は高くなるものの、マイコン４０や送信機５２の処理による蓄電素子５０の電力消費により、途中から低くなっていく。蓄電素子５０の電圧が閾値に到達すると、入力ピンＩ１０に入力される入力信号がＨｉｇｈ信号となる。この結果、マイコン４０が低消費モードから通常モードに移行する。ｔ５秒超ｔ６秒未満の間、マイコン４０は、通常モードを維持する。また、ｔ５秒以上ｔ６秒未満の間、マイコン４０が図７に示すステップＳＰ１６〜ＳＰ２０の処理を行うことで、例えばｔ５秒以上ｔ６秒未満の後半で送信機５２が押し操作された操作ボタン１２に対応する制御信号の送信を行う。トイレ装置１００は、送信機５２からの制御信号を受信し、受信した制御信号に応じた動作を実行する。これにより、マイコン４０は、トイレ装置１００を遠隔操作する。
【０１１８】
（ｔ６秒以上ｔ７秒未満の間）
ｔ６秒において、操作ボタン１２は、最下点位置から移動し始め、ｔ６秒超ｔ７秒未満の間、定常位置に向かって移動し続ける。ｔ６秒以上ｔ７秒未満の間、検出部２０の検出は有りの状態が続く。ｔ６において、蓄電素子５０の電圧は閾値：３．０Ｖまで下がり、ｔ６秒超ｔ７秒未満の間、閾値未満に下がり続けていく。なお、図８（ｃ）では、操作ボタン１２が最下点位置から移動し始めるときに、蓄電素子５０の電圧が閾値まで下がっているが、操作ボタン１２の最下点位置から移動し始める前後で、閾値まで下がってもよい。
また、ｔ６秒以上ｔ７秒未満の間に、蓄電素子５０の電圧は閾値を下回るため、入力ピンＩ１０に入力される入力信号がＬｏｗ信号となる。この結果、図７に示すステップＳＰ２４の処理により、マイコン４０が通常モードから低消費モードに移行する。
また、ｔ６秒以上ｔ７秒未満の間、送信機５２の送信は無い。
【０１１９】
（ｔ７秒以上ｔ８秒未満の間）
ｔ７秒において、操作ボタン１２は検出位置に戻り、ｔ７秒超ｔ８秒未満の間、検出位置から定常位置に向かって移動し続ける。ｔ７秒において、検出部２０の検出は有りから、無しとなり、ｔ７秒超ｔ８秒未満の間、無しの状態が維持される。ｔ７秒以上ｔ８秒未満の間、蓄電素子５０の電圧は、３Ｖ未満１．８Ｖ超の間で下がり続け、マイコン４０は低消費モードが維持され、送信機５２の送信は無い。
【０１２０】
（ｔ８秒以上ｔ９秒未満の間）
ｔ８秒以上ｔ９秒未満の間は、任意の操作ボタン１２は定常位置にあり、操作ボタン１２に対応する検出部２０の検出は無い。また、ｔ８秒以上ｔ９秒未満の間、蓄電素子５０の電圧は３Ｖ未満１．８Ｖ超の間で下がり続け、マイコン４０は低消費モードが維持され、送信機５２の送信は無い。
【０１２１】
（ｔ９秒以上ｔ１０秒未満の間）
使用者は、ｔ９秒において、リモコン装置１０の任意の操作ボタン１２をしっかりと押し始める。ｔ９秒超ｔ１０秒未満の間、押し操作された操作ボタン１２は定常位置から最下点位置に向かって移動し続ける。ｔ９秒以上ｔ１０秒未満の間、操作ボタン１２に対応する検出部２０の検出は無く、蓄電素子５０の電圧は３Ｖ未満１．８Ｖ超の間で下がり続け、マイコン４０は低消費モードが維持され、送信機５２の送信は無い。
【０１２２】
（ｔ１０秒以上ｔ１１秒未満の間）
ｔ１０秒において、押し操作された操作ボタン１２は検出位置に到達し、ｔ１０秒超ｔ１１秒未満の間、検出位置から最下点位置に向かって移動し続けて、途中で最下点位置に到達する。ｔ１０秒において、操作ボタン１２に対応する検出部２０の検出が有の状態となり、ｔ１０秒超ｔ１１秒未満の間、この有りの状態が続く。また、ｔ１０秒以上ｔ１１秒未満の間、蓄電素子５０の電圧は３Ｖ未満１．８Ｖ超の間で下がり続け、マイコン４０は低消費モードが維持され、送信機５２の送信は無い。
なお、ｔ１０秒以上ｔ１１秒の途中で、押し操作された操作ボタン１２は発電位置に到達し、発電部２２で発電が行われるものの、発電部２２の電力（電圧）が蓄電素子５０の電力（電圧）を超えるまでは、蓄電素子５０に蓄電はされない。
【０１２３】
（ｔ１１秒以上ｔ１２秒未満の間）
ｔ１１秒において、押し操作された操作ボタン１２は発電位置を超えた最下点位置を維持している。ｔ１１秒以上ｔ１２秒未満の間、検出部２０の検出は、有りの状態が続く。ｔ１１秒において、発電部２２の電力（電圧）が蓄電素子５０の電力（電圧）と同じとなる。そして、ｔ１１秒超ｔ１２秒未満の間、蓄電素子５０の電圧は、上がり続ける。また、ｔ１１秒以上ｔ１２秒未満の間、マイコン４０は低消費モードの状態にあり、送信機５２の送信は無い。
【０１２４】
（ｔ１２秒以上ｔ１３秒未満の間）
ｔ１２秒以上ｔ１３秒未満の間、操作ボタン１２は最下点位置を維持し、検出部２０の検出は有りの状態が続く。ｔ１２秒において、蓄電素子５０の電圧は閾値：３．０Ｖに到達する。ｔ１２秒超ｔ１３秒未満の間、蓄電素子５０の電圧は、最初の間は高くなるものの、マイコン４０や送信機５２の処理による蓄電素子５０の電力消費により、途中から低くなっていく。蓄電素子５０の電圧が閾値に到達すると、入力ピンＩ１０に入力される入力信号がＨｉｇｈ信号となる。この結果、マイコン４０が低消費モードから通常モードに移行する。ｔ１２秒超ｔ１３秒未満の間、マイコン４０は、通常モードを維持する。また、ｔ１２秒以上ｔ１３秒未満の間、マイコン４０が図７に示すステップＳＰ１６〜ＳＰ２０の処理を行うことで、例えばｔ１２秒以上ｔ１３秒未満の後半で送信機５２が押し操作された操作ボタン１２に対応する制御信号の送信を行う。トイレ装置１００は、送信機５２からの制御信号を受信し、受信した制御信号に応じた動作を実行する。これにより、マイコン４０は、トイレ装置１００を遠隔操作する。
【０１２５】
（ｔ１３秒以上ｔ１４秒未満の間）
ｔ１３秒において、操作ボタン１２は、最下点位置から移動し始め、ｔ１３秒超ｔ１４秒未満の間、定常位置に向かって移動し続ける。ｔ１３秒以上ｔ１４秒未満の間、検出部２０の検出は有りの状態が続く。ｔ１３において、蓄電素子５０の電圧は閾値：３．０Ｖまで下がり、ｔ１３秒超ｔ１４秒未満の間、閾値未満に下がり続けていく。なお、図８（ｃ）では、操作ボタン１２が最下点位置から移動し始めるときに、蓄電素子５０の電圧が閾値まで下がっているが、操作ボタン１２の最下点位置から移動し始める前後で、閾値まで下がってもよい。
また、ｔ１３秒以上ｔ１４秒未満の間に、蓄電素子５０の電圧は閾値を下回るため、入力ピンＩ１０に入力される入力信号がＬｏｗ信号となる。この結果、図７に示すステップＳＰ２４の処理により、マイコン４０が通常モードから低消費モードに移行する。
また、ｔ１３秒以上ｔ１４秒未満の間、送信機５２の送信は無い。
【０１２６】
（ｔ１４秒以上ｔ１５秒未満の間）
ｔ１４秒において、操作ボタン１２は検出位置に戻り、ｔ１４秒超ｔ１５秒未満の間、検出位置から定常位置に向かって移動し続ける。ｔ１４秒において、検出部２０の検出は有りから、無しとなり、ｔ１４秒超ｔ１５秒未満の間、無しの状態が維持される。ｔ１４秒以上ｔ１５秒未満の間、蓄電素子５０の電圧は、３Ｖ未満１．８Ｖ超の間で下がり続け、マイコン４０は低消費モードが維持され、送信機５２の送信は無い。
【０１２７】
（ｔ１５秒以上ｔ１６秒未満の間）
ｔ１５秒以上ｔ１６秒未満の間、任意の操作ボタン１２は定常位置にあり、操作ボタン１２に対応する検出部２０の検出は無い。また、ｔ１５秒以上ｔ１６秒未満の間、蓄電素子５０の電圧は３Ｖ未満１．８Ｖ超の間で下がり続け、マイコン４０は低消費モードが維持され、送信機５２の送信は無い。
【０１２８】
（ｔ１６秒以上ｔ１７秒未満の間）
ｔ１６秒以上ｔ１７秒未満の間は、図示を省略するものの、操作ボタン１２等の各状態は、ｔ１５秒以上ｔ１６秒未満の間と同じである。
【０１２９】
（ｔ１７秒以上ｔ１８秒未満の間）
ｔ１７秒以上ｔ１８秒未満の間、操作ボタン１２等の各状態は、ｔ１５秒以上ｔ１６秒未満の間と同じである。
【０１３０】
（ｔ１８秒）
ｔ１８秒のとき、蓄電素子５０の電圧は起動電圧にまで下がる。そして、マイコン４０は、入力ピンＩ１１に入力される入力信号がＬｏｗ信号となり、リセットされて停止モードの状態に入る。
【０１３１】
＜リモコン装置１０の作用の他の例＞
次に、本実施形態に係るリモコン装置１０の作用の他の例について説明する。
【０１３２】
図９（ａ）〜図９（ｅ）は、本実施形態に係るリモコン装置１０の動作の一例を模式的に表すグラフ図である。図９（ａ）〜図９（ｅ）の横軸は、時間（秒）である。図９（ａ）の縦軸は、任意の操作ボタン１２の位置（ｍｍ）である。図９（ｂ）の縦軸は、検出部２０の検出の有無を表している。図９（ｃ）の縦軸は、蓄電素子５０の電圧（Ｖ）を表している。図９（ｄ）の縦軸は、マイコン４０のモードを表している。図９（ｄ）中には、通常の動作を行う通常モードと、動作が行われない状態である停止モードと、少なくともタイマカウントを行い、押し操作の回数ｋの記憶を継続でき、通常モードよりも電力の消費を抑えた低消費モードと、が表されている。図９（ｅ）の縦軸は、送信機５２の送信の有無を表している。
【０１３３】
図９（ａ）〜図９（ｅ）では、使用者が、１回目の押し操作は最下点位置まで強く押し操作する一方で、２回目の押し操作は蓄電素子５０に電力が蓄電されない、或いは、閾値を超えない程度に蓄電する位置まで弱く押し操作する場合を説明する。以下、括弧内のｔ１〜ｔ２５は、０秒から順次経過していく秒数を表している。
【０１３４】
（ｔ１秒以上ｔ１０秒未満）
リモコン装置１０の作用の一例で説明したｔ１〜ｔ１０における作用と同一である。
【０１３５】
（ｔ１０秒以上ｔ２１秒未満）
ｔ１０秒において、押し操作された操作ボタン１２は検出位置に到達し、ｔ１０秒超ｔ２１秒未満の間、検出位置から最下点位置に向かって移動し続ける。ｔ１０秒において、操作ボタン１２に対応する検出部２０の検出が有の状態となり、ｔ１０秒超ｔ２１秒未満の間、この有りの状態が続く。また、ｔ１０秒以上ｔ２１秒未満の間、蓄電素子５０の電圧は３Ｖ未満１．８Ｖ超の間で下がり続け、マイコン４０は低消費モードが維持され、送信機５２の送信は無い。
【０１３６】
（ｔ２１秒以上ｔ２２秒未満）
ｔ２１秒において、押し操作された操作ボタン１２は最下点位置の途中まで到達し、ｔ２１秒超ｔ２２秒未満の間、最下点位置の途中を維持している。この最下点位置の途中とは、発電部２２の電力（電圧）が蓄電素子５０の電力（電圧）を超えない程度の定常位置と最下点位置の間の位置である。ｔ２１秒以上ｔ２２秒未満の間、検出部２０の検出は、有りの状態が続く。ｔ１１秒超ｔ１２秒未満の間、発電部２２の電力（電圧）が蓄電素子５０の電力（電圧）を超えないので、蓄電素子５０の電圧は３Ｖ未満１．８Ｖ超の間で下がり続ける。また、ｔ２１秒以上ｔ２２秒未満の間、マイコン４０は低消費モードの状態にあり、送信機５２の送信は無い。すなわち、ｔ２１秒以上ｔ２２秒未満の間、マイコン４０は、ステップＳＰ１２の処理で肯定判定（閾値未満）をし続けるため、検出部２０が押し操作を検出している場合であっても、蓄電素子５０が蓄電している電力に対応する値が起動電力より高い電力に対応する閾値以上である場合とならず、生成処理を実行しない。
【０１３７】
（ｔ２２秒以上ｔ２３秒未満）
ｔ２２秒において、押し操作された操作ボタン１２は最下点位置の途中から移動し始め、ｔ２２秒超ｔ２３秒未満の間、定常位置に向かって移動し続ける。ｔ２２秒以上ｔ２３秒未満の間、検出部２０の検出は、有りの状態が続く。ｔ２２秒超ｔ２３秒未満の間、発電部２２の電力（電圧）が蓄電素子５０の電力（電圧）を超えないので、蓄電素子５０の電圧は３Ｖ未満１．８Ｖ超の間で下がり続ける。また、ｔ２２秒以上ｔ２３秒未満の間、マイコン４０は低消費モードの状態にあり、送信機５２の送信は無い。
【０１３８】
（ｔ２３秒以上ｔ２４秒未満）
ｔ２３秒において、操作ボタン１２は検出位置に戻り、ｔ２３秒超ｔ２４秒未満の間、検出位置から定常位置に向かって移動し続ける。ｔ２３秒において、検出部２０の検出は有りから、無しとなり、ｔ２３秒超ｔ２４秒未満の間、無しの状態が維持される。ｔ２３秒以上ｔ２４秒未満の間、蓄電素子５０の電圧は、３Ｖ未満１．８Ｖ超の間で下がり続け、マイコン４０は低消費モードが維持され、送信機５２の送信は無い。
【０１３９】
（ｔ２４秒以上ｔ２５秒未満の間）
ｔ２４秒以上ｔ２５秒未満の間、任意の操作ボタン１２は定常位置にあり、操作ボタン１２に対応する検出部２０の検出は無い。また、ｔ２４秒以上ｔ２５秒未満の間、蓄電素子５０の電圧は３Ｖ未満１．８Ｖ超の間で下がり続け、マイコン４０は低消費モードが維持され、送信機５２の送信は無い。
【０１４０】
（ｔ２５秒）
ｔ２５秒のとき、蓄電素子５０の電圧は起動電圧にまで下がる。そして、マイコン４０は、入力ピンＩ１１に入力される入力信号がＬｏｗ信号となり、リセットされて停止モードの状態に入る。
【０１４１】
＜リモコン装置１０の作用のさらに他の例＞
次に、本実施形態に係るリモコン装置１０の作用のさらに他の例について説明する。
【０１４２】
図１０（ａ）〜図１０（ｄ）は、本実施形態に係るリモコン装置１０の動作の一例を模式的に表すグラフ図である。図１０（ａ）〜図１０（ｄ）の横軸は、時間（秒）である。図１０（ａ）の縦軸は、検出部２０の検出の有無を表している。図１０（ｂ）の縦軸は、蓄電素子５０の電圧（Ｖ）を表している。図１０（ｃ）の縦軸は、マイコン４０のモードを表している。図１０（ｄ）の縦軸は、送信機５２の送信の有無を表している。
【０１４３】
図１０（ａ）〜図１０（ｄ）では、使用者が、５回の操作ボタン１２の押し操作とも、最下点位置まで強く押し操作する場合を説明する。
【０１４４】
１回目及び２回目の押し操作に係る作用は、リモコン装置１０の作用の一例と同じである。３回目及び４回目の押し操作に係る作用も、リモコン装置１０の作用の一例の２回目の押し操作に係る作用と同じである。
【０１４５】
５回目の押し操作に係る作用も、リモコン装置１０の作用の一例の２回目の押し操作に係る作用と基本的には同じであるが、マイコン４０は、図７に示すステップＳＰ１６〜ＳＰ２０の処理を行うことで、押し操作された操作ボタン１２の押し操作回数ｋが予め定められた回数、例えば５回を満たすと判定し、送信機５２が１〜４回目の制御信号と異なる特殊モード信号を送信する。トイレ装置１００は、送信機５２からの特殊モード信号を受信し、受信した特殊モード信号に応じた動作を実行する。これにより、マイコン４０は、トイレ装置１００を遠隔操作する。
【０１４６】
＜効果＞
以上、本実施形態に係るリモコン装置１０によれば、図８（ａ）〜図８（ｅ）に示すように、１回目の任意の操作ボタン１２の押し操作があり、当該操作ボタン１２が検出部２０の検出位置及び発電位置よりも先に移動すると、発電部２２がその移動に応じた電力を発生し、蓄電素子５０がその電力を蓄電する。そして、蓄電素子５０の電力が起動電力となるとマイコン４０が起動する。起動したマイコン４０は、検出部２０が押し操作を既に検出しているので、蓄電素子５０が蓄電している電力に対応する値（電圧）が起動電力より高い電力に対応する閾値（電圧の閾値）以上である場合には生成処理を実行し、閾値未満の場合には生成処理を実行しない。このように、１回目の押し操作がユーザの意図しない軽い押し操作である場合、蓄電素子５０の電力が起動電力以上にならないとマイコン４０が起動せず生成処理を実行することがないので、送信機５２による制御信号の誤送信を抑制することができる。また、１回目の押し操作においてマイコン４０が起動して上記値が閾値未満となる電力が蓄電される程度にユーザの意図しない軽く押し操作があっても、上記値が閾値未満の場合には生成処理を実行しないので、送信機５２による制御信号の誤送信を抑制することができる。  
【０１４７】
さらに、図９（ａ）〜（ｅ）に示すように、１回目の押し操作でマイコン４０が起動し続けている状態で、２回目以降の押し操作の中で意図しない軽い押し操作があっても、検出部２０が押し操作を検出した場合という条件は満たされるものの、蓄電素子５０が蓄電している電力に対応する値が起動電力より高い電力に対応する閾値以上である場合という条件が満たされ難いので、生成処理を実行することを抑制でき、送信機５２による制御信号の誤送信を抑制することができる。  
【０１４８】
また、本実施形態に係るリモコン装置１０によれば、図１０に示すように、１回目の押し操作でマイコン４０が起動し続けるので、電力不足で停止するまでカウントした押し操作の回数ｋを記憶することができる。この結果、記憶した回数を利用して、特殊モード信号を送信することができる。
【０１４９】
また、本実施形態に係るリモコン装置１０によれば、マイコン４０とは別に監視部としての電圧検出回路５４があり、マイコン４０は電圧検出回路５４から蓄電素子５０が蓄電している電力に対応する値が閾値以上であるときその旨の通知（信号）を受けるので、当該通知を受けるまでマイコン４０を待機状態にさせて、その消費電力を抑制することができる。  また、マイコン４０が内部処理として電圧を監視する場合、決まった電圧値がマイコン４０により決まっているので自由な電圧設定が難しい一方、電圧検出回路５４が電圧を監視する場合は、電圧検出回路５４を変えることで電圧値を自由に設定することができる。
また、電圧検出の精度に関してもマイコン４０の内部処理で行うより外部で監視部として電圧検出回路５４を設ける方が、高精度となり得る。その結果、通常モードの時間や起動している時間のばらつきを抑えることができる。
【０１５０】
また、本実施形態に係るリモコン装置１０によれば、マイコン４０は、通常モードで生成処理を実行した後電圧検出回路５４から通知を受け取るまで、低消費モードの状態となるので、待機している状態の消費電力を抑制することができる。
【０１５１】
また、本実施形態に係るリモコン装置１０によれば、図９（ｄ）に示すように、マイコン４０が起動して通常モードに移行しても、蓄電素子５０が蓄電している電力に対応する値がまだ閾値以上となっていないときがある。このような場合でも、マイコン４０が低消費モードに移行することで、上記値がまだ閾値以上となるまで消費電力を抑えることができる。
【０１５２】
また、本実施形態に係るトイレシステムＳによれば、リモコン装置１０によりトイレ装置１００に設けられたノズル１３０を遠隔操作することができると共に、そのノズル１３０への遠隔操作に関する制御信号の誤送信を抑制することができる。
【０１５３】
［第２実施形態］
次に、本発明の実施の形態の中で、第２実施形態に係るリモコン装置２００について説明する。
【０１５４】
図１１は、第２実施形態に係る検出部、発電部、電源部及び制御ユニットの詳細の一例である。
【０１５５】
図１１に示すように、第２実施形態に係るリモコン装置２００では、第１実施形態で説明した図４と異なり、マイコン４０は、出力ピンＯ２をさらに有する。この出力ピンＯ２には、蓄電素子５０の電力を放電する放電回路２０２が接続されている。放電回路２０２は、例えば整流回路５８に接続されている。
【０１５６】
図１２は、第２実施形態に係るマイコン４０が実行する処理のフローチャートである。図１２に示す処理の前は、マイコン４０は、未起動の状態、すなわち停止状態である。そして、図１２に示す動作は、マイコン４０の入力ピンＩ１１にリセット回路５６から入力される入力信号がＨｉｇｈ信号からＬｏｗ信号に切り替わって、すなわち、蓄電素子５０の電圧値が起動電圧（例えば１．８Ｖ）以上となってマイコン４０が起動した後に、実行される。なお、マイコン４０は、ハードウェアとして、起動した際に通常モードに移行する構成となっている。
【０１５７】
ステップＳＰ１０〜ステップＳＰ２６は、第１実施形態で説明した図７と同一である。
【０１５８】
（ステップＳＰ８）
マイコン４０は、出力ピンＯ２の出力信号をＨｉｇｈ信号にする。これにより、放電回路２０２は、Ｈｉｇｈ信号を受けて、蓄電素子５０の電力を放電しない。次に、マイコン４０は、ステップＳＰ１０の処理に移行する。
【０１５９】
（ステップＳＰ３０）
マイコン４０は、図１１に示す入力ピンＩ１０に電圧検出回路５４から入力される入力信号がＬｏｗ信号か否か判断する。マイコン４０は、肯定判断した場合（Ｙｅｓ）、すなわち、蓄電素子５０の電圧値が閾値（３．０Ｖ）未満であるときは、ステップＳＰ３４の処理に移行する。また、マイコン４０は、否定判断した場合（Ｎｏ）、すなわち、蓄電素子５０の電圧値が閾値（例えば３．０Ｖ）以上であるときは、ステップＳＰ３２の処理に移行する。
【０１６０】
（ステップＳＰ３２）
マイコン４０は、出力ピンＯ２の出力信号をＬｏｗ信号にする。これにより、放電回路２０２は、Ｌｏｗ信号を受けて、蓄電素子５０の電力を例えば蓄電素子５０の電圧値が起動電圧以上閾値（３．０Ｖ）未満となるまで放電する。次に、マイコン４０は、ステップＳＰ３４の処理に移行する。
【０１６１】
（ステップＳＰ３４）
マイコン４０は、出力ピンＯ２の出力信号をＨｉｇｈ信号にする。これにより、放電回路２０２は、Ｈｉｇｈ信号を受けて、蓄電素子５０の電力を放電しない。次に、マイコン４０は、ステップＳＰ２４の処理に移行する。
【０１６２】
以上、本発明の第２実施形態に係るリモコン装置２００によれば、送信機５２による送信の後に、蓄電素子５０の電力に対応する値が閾値以上である場合、蓄電素子５０の電力を放電する放電部としての放電回路２０２をさらに備える。
【０１６３】
この構成によれば、２回目以降の押し操作のときに、蓄電素子５０の電力に対応する値（電圧）が閾値以上となることを抑制でき、もって送信機５２による制御信号の誤送信を抑制することができる。
また、蓄電素子５０の電力に対応する値を閾値より早く下回らせることができ、２回目以降の操作ボタン１２の押し操作をより早く認識可能となる（電圧検出回路５４からの信号の切り替わりを早く認識できる）。
【０１６４】
［変形例］
以上、本願の開示する技術の実施形態について説明したが、本願の開示する技術は、上記に限定されるものではない。
【０１６５】
例えば、リモコン装置１０のボタンは複数ある場合を説明したが、１つのみで構成されてもよい。
【０１６６】
また、図７に示すステップＳＰ１６及びステップＳＰ１８は、ステップＳＰ１２の前に行ってもよい。また、ステップＳＰ１２、１４は省略してもよい。
【０１６７】
また、ステップＳＰ１８では、停止ボタン１２ｄの押し操作回数ｋのみをカウントする場合を説明したが、２種類以上の操作ボタン１２の押し操作回数をカウントしてもよい。また、各操作ボタン１２の押し操作の順序や組み合わせを記憶してもよい。そして、任意の順序や組み合わせの条件が満たされたときに、ステップＳＰ２０で特殊モード信号を送信してもよい。
【０１６８】
また、図４に示す過充電防止回路６０は省略してもよい。
【０１６９】
また、閾値は、電圧値である場合を説明したが、蓄電素子５０の電力値、その電力値に対応する電流値であってもよい。また、閾値は、電圧値として３Ｖを説明したが、その値は起動電圧超であれば、特に限定されない。ただし、閾値は、誤送信をより抑制する観点から、起動電力と送信に必要な電力とを足し合わせた電力よりも高い電力に対応する値の方が好ましい。
【０１７０】
また、各検出部２０としては機械式のスイッチを用いる場合を説明したが、ホール素子を用いる場合は、電源が繋がっていると消費電流があるので、低消費動作時には電源が供給されない構成であることが好ましい。この場合、通常モードで動作を始め、検出部２０の状態を確認するときに検出部２０に電源を供給する。
【０１７１】
また、図１０では、押し操作された操作ボタン１２の押し操作回数ｋが予め定められた回数、例えば５回を満たすと判定し、送信機５２が１〜４回目の制御信号と異なる特殊モード信号を送信する場合を説明したが、押し操作回数ｋが予め定められた回数を満たした場合、何も送信しないようにしてもよい。
【０１７２】
また、前述した各実施の形態が備える各要素は、技術的に可能な限りにおいて組み合わせることができ、これらを組み合わせたものも本発明の特徴を含む限り本発明の範囲に包含される。
【符号の説明】
【０１７３】
Ｓ…トイレシステム
１０，２００…リモコン装置
１２…操作ボタン
２０…検出部
２２…発電部
４０…マイコン（制御部）
４４…送信部
５０…蓄電素子（蓄電部）
５４…電圧検出回路（監視部）
１００…トイレ装置
１３０…ノズル（吐水手段）
２００…リモコン装置
２０２…放電回路（放電部）
【図１】
0006350052.tif 000002
【図２】
0006350052.tif 000003
【図３】
0006350052.tif 000004
【図４】
0006350052.tif 000005
【図５】
0006350052.tif 000006
【図６】
0006350052.tif 000007
【図７】
0006350052.tif 000008
【図８】
0006350052.tif 000009
【図９】
0006350052.tif 000010
【図１０】
0006350052.tif 000011
【図１１】
0006350052.tif 000012
【図１２】
0006350052.tif 000013